(57)【特許請求の範囲】
【請求項１】
可撓性の材料によって形成され、車両の座席の座部上に配置され、
使用状態において底部と前部と後部と互いに対向する側部からなる本体部を具備し、
前後の車両内装部材に固定手段により固定されるペット囲い支持具であって、
前記底部に支持板が設けられ、
前記固定手段は、紐状部材と、この紐状部材に設けた係止具とを備え、
前記紐状部材が前記底部側から外側に延び、
前記底部は、開口部を設けた袋状をなし、前記開口部から前記底部内に前記支持板が挿脱可能に設けられ、
前記支持板に前後方向に連続する前記紐状部材を取り付けると共に、前記紐状部材は前記支持板の対向する前後縁側から外側に延びることを特徴とするペット囲い支持具。
【請求項２】
前記前後の車両内装部材が前部座席と後部座席のヘッドレストであることを特徴とする請求項１記載のペット囲い支持具。
【請求項３】
前記底部には前記紐状部材を挿通する挿通部が形成されていることを特徴とする請求項１記載のペット囲い支持具。
【請求項４】
前記底部は車両側部側に前記開口部が設けられていることを特徴とする請求項１記載のペット囲い支持具。
【発明の詳細な説明】
【技術分野】
【０００１】
本発明は、ペット囲い支持具に関する。
【背景技術】
【０００２】
従来、この種のものとして、縦布部と横布部とで上部が開放された袋状の収納部を形成すると共に、該縦布部の両端に吊下ベルトを備え、該横布部の上縁部に筒状に縫製された筒状部を形成し、該筒状部にドローコードを挿通し該ドローコードを絞ることで該収納部の開口間口を狭めるように構成し、該本体は、該吊下ベルトを自動車の前部座席と後部座席のヘッドレストに掛け渡して吊すことで装着される自動車用物品収納具（例えば特許文献１）がある。
【０００３】
また、可撓性シートにより構成されていて、使用状態において、底部と、前部と、後部と、互いに対向した一対の側部とによって上部が開口した袋状に形成されるマットを有し、該マットの前記前部の上部には、自動車の車室内に配置された前部座席のヘッドレストに着脱可能に嵌合する前部孔が形成され、前記マットの後部の上部には、自動車の車室内に配置された後部座席のヘッドレストに着脱可能に嵌合する後部孔が形成されていると共に、前記マットの前部孔と後部孔をそれぞれヘッドレストから外し、該マットを折り畳んだ後、その折り畳んだマットを収容するケースを有し、該ケースは、その内部にペットを収容できる大きさに形成されている自動車用のペット囲い装置（例えば特許文献２）がある。
【先行技術文献】
【特許文献】
【０００４】
【特許文献１】実用新案登録第３１７８２６３号公報
【特許文献２】特許第４２２９９３１号公報
【発明の概要】
【発明が解決しようとする課題】
【０００５】
上記自動車用物品収納具は、可撓性を有する布製の収納具を吊設して使用するため、ペットに用いた場合、ペットが立つとぐらつき姿勢が不安定となり、ペットを安定して支持することができなかった。
【０００６】
また、上記ペット囲い装置も、布、樹脂シート、又はその合成材料などの可撓性シートにより構成されているため、走行する車両でペットを安定して支持することができなかった。
【０００７】
さらに、前部座席の背凭れ部と後部座席の座部との間には、空間があるから、後部座席の座部の前方でペット囲い装置が不安定となるため、前記空間を有効に使うことができない。
【０００８】
そこで、本発明は上記した問題点に鑑み、ペットを安定して支持することできるペット囲い支持具を提供することを目的とする。
【課題を解決するための手段】
【０００９】
上記目的を達成するために、請求項１に係る発明は、可撓性の材料によって形成され、車両の座席の座部上に配置され、使用状態において底部と前部と後部と互いに対向する側部からなる本体部を具備し、前後の車両内装部材に固定手段により固定されるペット囲い支持具であって、前記底部に支持板が設けられ、前記固定手段は、紐状部材と、この紐状部材に設けた係止具とを備え、前記紐状部材が前記底部側から外側に延び、前記底部は、開口部を設けた袋状をなし、前記開口部から前記底部内に前記支持板が挿脱可能に設けられ、前記支持板に前後方向に連続する前記紐状部材を取り付けると共に、前記紐状部材は前記支持板の対向する前後縁側から外側に延びることを特徴とする。
【００１０】
請求項２に係る発明は、前記前後の車両内装部材が前部座席のヘッドレストと後部座席のヘッドレストであることを特徴とする。
【００１１】
請求項３に係る発明は、前記底部には前記紐状部材を挿通する挿通部が形成されていることを特徴とする。
【００１２】
請求項４に係る発明は、前記底部は車両側部側に前記開口部が設けられていることを特徴とする。
【発明の効果】
【００１３】
請求項１の構成によれば、座席上にペットを安定して支持できる。
【００１４】
請求項１の構成によれば、底部に支持板を挿入することにより、座席上にペットを安定して支持できる。
【００１５】
請求項２の構成によれば、ヘッドレストを利用してペットを安定して支持できる。
【００１６】
請求項１の構成によれば、底部の支持板を安定させることができる。
【００１７】
請求項３の構成によれば、底部に対して支持板の位置決めを確実に行うことができる。
【００１８】
請求項４の構成によれば、支持板の着脱が容易となる。
【図面の簡単な説明】
【００１９】
【図１】本発明の実施例１を示す支持具の側面図である。
【図２】同上、支持板の平面図である。
【図３】同上、底部の拡大断面図である。
【図４】同上、底部の説明図である。
【図５】同上、係止具の平面図である。
【図６】同上、上縁の断面説明図であり、図６（Ａ）は中央側、図６（Ｂ）は閉塞部材側を示す。
【図７】同上、支持具の正面図である。
【図８】同上、支持具の背面図である。
【図９】同上、使用状態の側面図である。
【図１０】同上、使用状態の底部の拡大断面図である。
【図１１】本発明の参考例１を示す使用状態の底部の断面図である。
【図１２】本発明の実施例２を示す支持具の側面図である。
【図１３】同上、使用状態の側面図である。
【図１４】本発明の実施例３を示す使用状態の側面図である。
【図１５】同上、底部の拡大断面図である。
【図１６】本発明の参考例２を示す一部を切り欠いた支持具の側面図である。
【図１７】本発明の実施例４を示す使用状態における底部の平面説明図である。
【図１８】同上、２枚の支持板の平面説明図である。
【図１９】本発明の実施例５を示す底部の断面説明図である。
【発明を実施するための形態】
【００２０】
以下、図面を参照して、本発明のペット囲い支持具の実施例について説明する。
【実施例１】
【００２１】
図１〜図１０は本発明の実施例１を示す。同図に示すように、ペット囲い支持具１は、車両の座席の座部上に配置される本体部２を備える。前記本体部２は、使用状態において底部３と前部４と後部５と互いに対向する左右の側部６，６とを具備し、前記本体部２は布など可撓性の材料によって形成されている。尚、前記可撓性の材料として、布、樹脂シート、又はその合成材料などが例示される。
【００２２】
本実施例は、前記底部３の下面に後述する支持板を配置する例であるが、支持板を挿入することのできる底部３を例にして説明する。前記底部３は、略同形で略矩形状の底上面部１１と底下面部１２とを重ね合わせた重ね合わせ部１３を有し、車両前後方向が幅方向より長く形成されている。また、底部３は、前記重ね合わせ部１３の左右の一側縁の略全長に開口部１５を有すると共に、底上面部１１と底下面部１２の前後縁と左右他側縁を縫着などにより連結して袋体１４を構成している。
【００２３】
前記開口部１５から前記底部３内に支持板１６を着脱可能に挿入することもできる。前記支持板１６には、前記支持具１を車内に固定する固定手段１７が設けられ、この固定手段１７は、紐状部材１８と係止具１９とを備える。また、帯状の紐状部材１８は可撓性の材料からなり、係止具１９は、硬質材料からなり、紐状部材１８の端部を連結及び連結解除するものである。前記支持板１６は前記底部３と別体のものが用いられる。
【００２４】
図４に示すように、左右一方の前記側部６は、その下縁６Ｓが縫着などにより前記底上面部１１の左右一側縁１１Ｆに連結され、左右他方の前記側部６は、その下縁６Ｓが縫着などにより袋体１４の左右他側縁１４Ｆに連結されている。また、左右の側部６，６は、使用状態で、略垂直で互いに略平行に配置される。
【００２５】
図１に示すように、左右の側部６，６は、下から上に向かって拡大するように下縁６Ｓより上縁６Ｕが長く形成され、上縁６Ｕは前側から後側が高くなるように形成されている。また、図９に示すように、底部３に支持板１６を配置することにより、底部３の前方が後部座席５１Ａの座部５４から張り出しても安定したものとなり、前部座席５１の背凭れ部５５の背後の空間を使用することができる。
【００２６】
また、図６に示すように、前記上縁６Ｕを折返し部２１により外面側に折り返して、側部６の外面に重ね合わせた重ね合わせ縁部２２を形成し、この重ね合わせ縁部２２の下部側を縫着部２２Ａにより連結して袋状とし、前記重ね合わせ縁部２２内に、硬質材料からなる保形部材たるパイプ２３を挿脱可能に挿入配置している。そして、重ね合わせ縁部２２の長さ方向一側が閉塞すると共に、長さ方向他側が開口し、この他側を開閉する開閉部材２４を設けており、開閉部材２４としては雄雌ホックなどが例示される。
【００２７】
図７に示すように、前記側部６，６の前縁と前記前部４の左右縁とは、連結手段たるスライドファスナ２６，２６により連結及び連結解除可能に設けられている。また、前記前部４の下縁４Ｓは、底部３の前縁に連結されている。尚、図中２６Ａはスライドファスナ２６のスライダである。
【００２８】
前記前部４の上縁４Ｕは、前記側部６，６の前縁の上端より上方に延設され、その上縁４Ｕに、前記重ね合わせ縁部２２を設け、この重ね合わせ縁部２２内に前記パイプ２３を挿脱可能に挿入配置している。また、重ね合わせ縁部２２の長さ方向一側が閉塞すると共に、長さ方向他側が開口し、この他側に前記開閉部材２４を設けている。
【００２９】
図７に示すように、前記上縁４Ｕには、可撓性を有する紐状体２７の両端が間隔を置いて連結され、この紐状体２７には長さ調整部材２８が設けられている。前記紐状体２７は、車両内装部材に掛装される掛装部材である。また、前部４の前面には、上部が開口したポケット２９が設けられている。尚、上縁４Ｕの紐状体２７が、前部４の上側の固定手段である。
【００３０】
図８に示すように、前記側部６，６の後縁と前記後部５の左右縁とは、連結手段たるスライドファスナ２６，２６により連結及び連結解除可能に設けられている。また、前記後部５の下縁５Ｓは、底部３の後縁に連結されている。
【００３１】
前記後部５の上縁５Ｕは、前記側部６の前縁の上端より上方に延設され、その上縁５Ｕに、前記重ね合わせ縁部２２を設け、この重ね合わせ縁部２２内に前記パイプ２３を挿脱可能に挿入配置している。また、重ね合わせ縁部２２の長さ方向一側が閉塞すると共に、長さ方向他側が開口し、この他側に前記開閉部材２４を設けている。
【００３２】
図８に示すように、前記上縁５Ｕには、可撓性を有する前記紐状体２７の両端が間隔を置いて連結され、この紐状体２７には長さ調整部材２８が設けられている。尚、上縁５Ｕの紐状体２７が、後部５の上側の固定手段である。
【００３３】
前記袋体１４内に支持板１６が着脱可能に設けることもでき、支持板１６は前記開口部１５から挿脱される。図３に示すように、前記支持板１６は、硬質な上面部３０と下面部３１との間に、充填材を充填してなる保形性を有する充填層３３を設けており、前記充填材としては、ウレタンホームなどが例示される。
【００３４】
また、前記支持板１６には、一対の前記紐状部材１８，１８が固定されている。これら紐状部材１８，１８は、左右に間隔を置くと共に、互いに平行で前後方向に向けて配置され、固定手段たるリベット３４により前記下面部３１に固定されている。また、リベット３４は、支持板１６の前後縁の近傍にそれぞれ設けられ、複数のリベット３４により固定されている。尚、支持板１６の周囲には、前記上，下面部３０，３１を連結する前後の側面部３２，３２と左右の側面部３２Ａ，３２Ａが設けられ、それら側面部３２，３２，３２Ａ，３２Ａは硬質材料からなる。
【００３５】
前記紐状部材１８は、前記支持板１６の前後縁からそれぞれ延設された部分が延設部１８Ａ，１８Ｂであり、左右一方（図２中で上側）の紐状部材１８の延設部１８Ａの先端に前記係止具１９を設けている。また、前記係止具１９を、左右他方（図２中で下側）の紐状部材１８の延設部１８Ｂの先端に設け、前記係止具１９は、大のＤリング１９Ｂとこの大のＤリング１９Ｂより小さい小のＤリング１９Ｓの基端を、紐状部材１８の先端に設けた輪部１８Ｗに回動自在に取り付けている。この場合、紐状部材１８の先端を折り返し、折り返して重ね合わせた部分を、縫着部３５により縫着することにより、輪部１８Ｗを形成している。尚、図２では、支持板１６に比べて底部３を大きく図示しているが、支持板１６の前後左右は底部３と略同形か底部３より大きい。
【００３６】
そして、延設部１８Ａ，１８Ｂを連結するには、重ね合わせた小，大のＤリング１９Ｓ，１９Ｂ内に、下側の大のＤリング１９Ｂ側から延設部１８Ｂを挿通して下側に折り返し、その延設部１８Ｂの先端を小，大のＤリング１９Ｓ，１９Ｂの先端側の間を通して大のＤリング１９Ｂに挿通することにより、延設部１８Ａ，１８Ｂを長さ調整可能に連結することができる。尚、図２において、左側の延設部１８Ｂ，１８Ａにより前側の固定手段１７を構成し、右側の延設部１８Ａ，１８Ｂにより後側の固定手段１７を構成している。
【００３７】
前記袋体１４の前後縁には、前記延設部１８Ａ，１８Ｂ，１８Ａ，１８Ｂを挿通する挿通部３６，３６，３６，３６が貫通して設けられ、それら延設部１８Ａ，１８Ｂ，１８Ａ，１８Ｂが、対向する前後の側面部３２，３２側から外側に延びる。また、前記開口部１５には、開閉手段たるスライドファスナ３７を設けることができる。尚、図１中、３７Ａはスライドファスナ３７のスライダである。
【００３８】
また、図１に示すように、前記左右の側部６，６の前側には、部分的に網目部３８が設けられ、この網目部３８は側部６の他の部分より通気性に優れている。
【００３９】
前記下縁５Ｓと底部３の後縁の近傍には、可撓性を有する押え部４１が連結されている。この押え部４１は帯板状をなし、その基端部４１Ｋを前記下縁５Ｓと底部３の連結部の近傍に連結し、その先端には、左右方向に長い袋部４２を設け、この袋部４２内に、保形部材であってウエイトとなるパイプ４３を収納している。そして、パイプ４３の外形は円筒状をなす。尚、押え部４１が底部３の後側固定手段である。
【００４０】
したがって、図９に示すように、前記袋部４２側を、後部座席５１Ａの座部５４の後部と背凭れ部５５の下部との間に挿入することにより、支持具１の底部３の後側を後部座席５１Ａに位置決めすることができる。
【００４１】
次に、前記支持具１の使用方法について説明する。まず、本体部２より先に支持板１６の固定を行い、前部座席５１とこの前部座席５１の真後ろに位置する後部座席５１Ａとの間に支持板１６を取り付ける場合、前部座席５１のヘッドレスト５２の一対の支柱５３，５３に、前側の延設部１８Ａ，１８Ｂを巻くようにして連結し、後部座席５１Ａのヘッドレスト５２の一対の支柱５３，５３に、後側の延設部１８Ａ，１８Ｂを巻くようにして連結する。この場合、係止具１９により紐状部材１８の長さを調整することにより、支持板１６が後部座席５１Ａの座部５４に載置されるように取り付けることが好ましい。
【００４２】
次に、本体部２の固定を行い、前後の紐状体２７，２７を前後のヘッドレスト５２，５２の一対の支柱５３，５３に掛装する。この場合、長さ調整部材２８を用いて、紐状体２７がヘッドレスト５２を通すことができる長さに調整し、上からヘッドレスト５２を通した後、支柱５３，５３の位置で紐状体２７の長さを短く調整することにより、支柱５３，５３に紐状体２７を緩みなく掛装することができる。このように紐状体２７を支柱５３，５３に掛装することにより、前部４と後部５の上部が位置決め状態で支持される。尚、この例では底部３に支持板１６を入れていないから、図１０に示すように、底上面部１１と底下面部１２とが重ね合される。
【００４３】
このようにして支持具１の支持板１６を車両内装部材であるヘッドレスト５２，５２に取り付け、その支持具１は保形性を有する支持板１６が底部３の下面に設けられているため、内部でペットが寝た姿勢でも立った姿勢でも安定して支持することができる。また、支持板１６を設けた底部３の前側が座部５４から張り出すように配置することにより、座部５４の前方スペースを利用することができる。この場合は、座部５４の前後方向の寸法より底部３の前後方向の寸法を大きくすることができる。
【００４４】
また、支持板１６に、固定手段１７の紐状部材１８を直接固定したため、紐状部材１８により支持板１６を安定して支持することができ、支持具１の他の部材に無理な力が加わり難い。
【００４５】
さらに、底部３を支持板１６に載置したから、支持板１６の上から取り外すことにより、支持具１を折り畳むことができ、収納に便利である。この場合、保形部材たるパイプ２３を抜き取れば、さらにコンパクトに折り畳むことができる。
【００４６】
このように本実施例では、請求項１に対応して、可撓性の材料によって形成され、車両の座席の座部上に配置され、使用状態において底部３と前部４と後部５と互いに対向する側部６，６からなる本体部２を具備し、前後の車両内装部材たる前部座席５１及び後部座席５１Ａに固定手段１７により固定されるペット囲い支持具１であって、底部３に支持板１６が設けられ、固定手段１７は、紐状部材１８と、この紐状部材１８に設けた係止具１９とを備え、紐状部材１８が底部３側から外側に延び、底部３は、開口部１５を設けた袋状をなし、開口部１５から底部３内に支持板１６が挿脱可能に設けられ、支持板１６に前後方向に連続する紐状部材１８を取り付けると共に、紐状部材１８は支持板１６の対向する前後縁側から外側に延びるから、座席上にペットを安定して支持することができる。また、連続する紐状部材１８を支持板１６に固定したから、支持板１６を長期に渡り確実に支持することができる。
【００４７】
また、支持板１６が底部３の下面に配置されるから、座席上にペットを安定して支持することができる。
【００４８】
このように本実施例では、請求項１に対応して、支持板１６に紐状部材１８を取り付けたから、支持板１６を安定させることができる。
【００４９】
このように本実施例では、請求項２に対応して、前後の車両内装部材が前部座席５１のヘッドレスト５２と後部座席５１Ａのヘッドレスト５２であるから、ヘッドレスト５２，５２を利用してペットを安定して支持することができる。
【００５０】
このように本実施例では、請求項１に対応して、紐状部材１８が支持板１６の対向する縁側たる前縁側及び後縁側から外側に延びるから、底部３の支持板１６を安定させることができる。
【００５１】
以下、実施例上の効果として、連続する紐状部材１８を支持板１６の下面に固定したから、支持板１６を長期に渡り確実に支持することができる。また、一対の前記紐状部材１８，１８を左右に間隔を置いて配置したから、紐状部材１８，１８により支持板１６を安定して支持することができる。さらに、押え部４１により、支持具１の底部３の後側を後部座席５１Ａに位置決めすることができる。
【００５２】
また、支持板１６は、硬質な上，下面部３０，３１の間に、これらより厚いと共に比重の小さい充填層３３を設けたから、全体として計量化を図ることができる。
［参考例１］
図１１は、本発明の参考例１を示し、上記実施例１と同一部分に同一符号を付し、その詳細な説明を省略して詳述する。
【００５３】
この例の支持具１では、底部３は１枚のシート状物からなり、そのシート状物はファブリック，樹脂又は表面ゴム加工などの摩擦係数の大きな物を用いることが好ましい。或いは、支持板１６の下面の表面を、ファブリック，樹脂又は表面ゴム加工などにより摩擦係数の大きなものにしてもよい。
【００５４】
また、底部３の下面と支持板１６の上面とを着脱可能に固定する支持板固定手段６０を備える。前記支持板固定手段６０としては、着脱可能な面ファスナ，ボタン，ホックなどが例示される。
【００５５】
次に、前記支持具１の使用方法について説明する。まず、支持具１を組み立てるには、底部３の下面に支持板固定手段６０により支持板１６を固定する。
【００５６】
そして、前部座席５１とこの前部座席５１の真後ろに位置する後部座席５１Ａとの間に支持具１を取り付ける場合、前部座席５１のヘッドレスト５２の一対の支柱５３，５３に、前側の延設部１８Ａ，１８Ｂを巻くようにして連結し、後部座席５１Ａのヘッドレスト５２の一対の支柱５３，５３に、後側の延設部１８Ａ，１８Ｂを巻くようにして連結する。この場合、係止具１９により紐状部材１８の長さを調整することにより、底部３が後部座席５１Ａの座部５４に載置されるように取り付けることが好ましい。また、前記押え部４１により、支持具１の底部３の後側を後部座席５１Ａに位置決めすることができる。
【００５７】
また、前後の紐状体２７，２７を前後のヘッドレスト５２，５２の一対の支柱５３，５３に掛装する。この場合、長さ調整部材２８を用いて、紐状体２７がヘッドレスト５２を通すことができる長さに調整し、上からヘッドレスト５２を通した後、支柱５３，５３の位置で紐状体２７の長さを短く調整することにより、支柱５３，５３に紐状体２７を緩みなく掛装することができる。このように紐状体２７を支柱５３，５３に掛装することにより、前部４と後部５の上部が位置決め状態で支持される。
【００５８】
このように本参考例では、支持板１６が底部３の下面に配置されるから、座席上にペットを安定して支持することができる。
【００５９】
また、底部３の下面に支持板固定手段６０により支持板１６を固定してから、支持具１を取付けることができる。
【実施例２】
【００６０】
図１２〜図１３は、本発明の実施例２を示し、上記実施例及び参考例と同一部分に同一符号を付し、その詳細な説明を省略して詳述する。
【００６１】
この例では、実施例１の本体部２の底部３内に、前記支持板１６を挿入して使用する例を示している。この場合は、図２に示したように、袋体１４内に支持板１６を挿入するために、底部３を支持板１６に比べて前後左右に大きく形成している。
【００６２】
まず、支持具１を組み立てるには、実施例１の図３及び図４などに示したように、スライドファスナ３７を操作して開口部１５を開き、この開口部１５から袋体１４内に支持板１６を挿入すると共に、挿通部３６，３６，３６，３６から延設部１８Ａ，１８Ｂ，１８Ａ，１８Ｂを外部に引き出す。このように紐状部材１８の両端を、底部３に設けた穴である挿通部３６，３６，３６，３６を介して外部に引き出す。また、支持板１６を挿入した後、スライドファスナ３７を閉める。この後、上記実施例と同様に支持具１を車両内装部材に取付ける。
【００６３】
このように本実施例では、底部３が重ね合わせ部１３をもって形成されており、重ね合わせ部１３内には、支持板１６が挿入されるから、座席上にペットを安定して支持することができる。
【００６４】
このように本実施例では、請求項３に対応して、底部３には紐状部材１８を挿通する挿通部３６が形成されているから、底部３に対して支持板１６の位置決めを確実に行うことができる。
【００６５】
このように本実施例では、請求項４に対応して、底部３は車両側部側に開口部１５が設けられているから、支持板１６の着脱が容易となる。
【００６６】
以下、実施例上の効果として、開口部１５を袋体１４の左右方向車両中央側に設けたから、支持板１６を車内で取り外すこともできる。また、ファスナ２６を設けたから、前部４と側部６，６と後部５を展開して折り畳むことができる。さらに、前後方向の寸法が左右幅方向の寸法より大きい支持板１６を、底部３の左右方向一側に設けた開口部１５から抜き差しすることにより、開口部を前後に設けた場合に比べて、その作業を容易に行うことができる。
【実施例３】
【００６７】
図１４〜図１５は、本発明の実施例３を示し、上記各実施例及び参考例と同一部分に同一符号を付し、その詳細な説明を省略して詳述する。
【００６８】
この例では、底部３の前側に袋体１４を設けると共に、袋体１４の後側には底下面部１２のみが設けられている。
【００６９】
また、前側の袋体１４の後部において、前記底上面部１１と底下面部１２とを縫着部３９により縫着すると共に、前記底下面部１２に、該底下面部１２の内外を連通する挿通部３６Ａを設け、紐状部材１８の後側を挿通部３６Ａ，３６Ａに挿通して外部に引出し、この引き出した部分を後側の底下面部１２の下面に沿って配置している。尚、実施例１〜６においては、いずれも一対の紐状部材１８，１８を備える。
【００７０】
このように本実施例では、本体部２の底部３内に、前記支持板１６を挿入して使用するから、上記各実施例と同様な作用・効果を奏する。
【００７１】
また、この例では、支持板１６を底部３の前後方向全長に設けずに、支持板１６の大きさを座部５４から張り出した部分に限定し、この例では支持板１６の下面が座部５４から出る部分と、座部５４に載置する部分とを備えるため、座部５４から前方に出た部分が安定し、また、支持板１６の大きさが小さくて済む。この場合、支持板１６は座部５４から出る部分を、座部５４に載置する部分より前後方向において大きくすることが好ましい。
［参考例２］
図１６は、本発明の参考例２を示し、上記各実施例及び参考例と同一部分に同一符号を付し、その詳細な説明を省略して詳述する。
【００７２】
この例では、底部３の上面に支持板１６を配置する例であり、支持板１６には紐状部材１８，１８が固定されており、支持板１６の下面と底部３の上面とは、前記支持板固定手段６０により着脱可能に固定される。また、底部３の上面は、ファブリック，樹脂又は表面ゴム加工などの摩擦係数の大きな物を用いることが好ましい。或いは、支持板１６の下面の表面を、ファブリック，樹脂又は表面ゴム加工などにより摩擦係数の大きなものにしてもよい。
【００７３】
そして、図１６の一点鎖線に示すように、本体部２の上部開口から支持板１６を挿入し、底部３の上面に前記支持板固定手段６０により支持板１６を固定し、また、挿通部３６，３６，３６，３６から延設部１８Ａ，１８Ｂ，１８Ａ，１８Ｂを外部に引き出す。この後、上記実施例と同様に支持具１を車両内装部材に取付ける。
【００７４】
このように本参考例では、支持板１６が底部３の上面に配置されると共に、支持板１６が支持板固定手段６０により底部３に固定されるから、座席上にペットを安定して支持することができる。
【００７５】
また、実施例上の効果として、底部３を袋状に形成する必要がないため、底部３の構成を簡略化することができる。
【実施例４】
【００７６】
図１７及び図１８は、本発明の実施例４を示し、上記各実施例及び各参考例と同一部分に同一符号を付し、その詳細な説明を省略して詳述する。この例の支持具１は、底部３を左右方向に長く形成し、袋体１４の左右両側にそれぞれ開口部１５，１５を設け、左右の開口部１５，１５にスライドファスナ３７，３７を設けている。また、支持板１６は、前記底部３を左右方向に略二分割した大きさを有し、袋体１４に２枚の支持板１６，１６を挿入している。
【００７７】
前記支持板１６には一対の前記紐状部材１８，１８を固定している。また、左右の支持板１６，１６の紐状部材１８，１８，１８，１８に対応して、底部３の前後縁にそれぞれ前記挿通部３６，３６，３６，３６を設けている。尚、前記紐状体２７，２７は、左右の前部座席５１，５１及び後部座席５１Ａ，５１Ａに対応してそれぞれ設けられ、押え部４１，４１は、左右の後部座席５１Ａ，５１Ａに対応してそれぞれ設けられている。即ち、この例では、紐状体２７が４箇所設けられ、押え部４１が２箇所設けられている。
【００７８】
そして、左右の後部座席５１Ａ，５１Ａに跨って底部３を載置するように配置し、固定手段１７，１７により、左右の前部座席５１，５１と左右の後部座席５１Ａ，５１Ａに支持具１を固定する。
【００７９】
このように本実施例では、底部３が重ね合わせ部１３をもって形成されており、重ね合わせ部１３内には、支持板１６が挿入されるから、上記各実施例と同様な作用・効果を奏する。
【００８０】
また、この例では、底部３が２つの座部５４，５４以上の幅を有するから、大きなペットや複数のペットを支持するのに適したものになる。
【実施例５】
【００８１】
図１９は、本発明の実施例５を示し、上記各実施例及び各参考例と同一部分に同一符号を付し、その詳細な説明を省略して詳述する。この例では、紐状部材１８を底部３の底下面部１２の下面に固定している。また、前記リベットの位置に固定手段たる縫着部７１を設け、この縫着部６１により紐状部材１８を底下面部１２に固定している。また、上記実施例と同様に、紐状部材１８は延設部１８Ａと延設部１８Ｂを一体に備える。
【００８２】
このように本実施例では、上記各実施例と同様な作用・効果を奏する。
【００８３】
また、この例では、底部３に紐状部材１８を連結したから、支持板１６の着脱が容易となる。
【００８４】
尚、本発明は、本実施例に限定されるものではなく、本発明の要旨の範囲内で種々の変形実施が可能である。例えば、車両内装部材は、前部座席の背もたれ部の後面に設けたテーブルなどでもよい。また、車両内装部材であるダッシュボードに固定手段を固定してもよく、この場合は支持具をダッシュボードに面する前部座席の座部の上に載置すればよい。また、開閉手段としてスライドファスナを例示したが、面ファスナやボタンなどでもよい。さらに、実施例では、略矩形の支持板を示したが、支持板の形状は適宜選定可能である。また、係止具は延設部同士を連結できるものであれば、各種のものを用いることができ、例えば、係止具は、面ファスナやフックなどでもよい。また、使用において、底部を座部上に載置しても良いし、底部を座部と間隔を置いて座部上に配置してもよい。また、固定手段はリベットや縫着部に限定されず、各種の手段を用いることができる。さらに、実施例では固定手段をヘッドレストの支柱に取付固定したが、固定手段を背凭れ部に巻き付ける等して取付固定したり、座部に巻き付ける等して取付固定したり、座席のフレームに取付固定したりしてもよい。また、支持板の大きさを座部から張り出した部分に限定した実施例３において、実施例１及び参考例１のように、底部の下面に支持板を配置したり、参考例２のように底部の上面に支持板を配置したりしてもよいし、さらに、実施例１〜４及び参考例１〜２において、実施例５のように紐状部材を底部に固定してもよいし、このように各実施例及び参考例の構成を適宜組み合わせることができる。これに関し、実施例２においては、参考例１の支持板固定部材と実施例３の挿通部３６Ａを設ければ、実施例１及び参考例１のように底部の下面に支持板を配置したり、実施例３のように前後方向の短い支持板を袋体の前側に配置したり、参考例２のように底部の上面に支持板を配置したりすることができ、このように使用状態を適宜選定することができるため、利便性に優れた支持具が得られる。
【符号の説明】
【００８５】
１  ペット囲い支持具
２  本体部
３  底部
４  前部
５  後部
６  側部
１３  重ね合わせ部
１４  袋体
１５  開口部
１６  支持板
１７  固定手段
１８  紐状部材
１９  係止具
３６，３６Ａ  挿通部
５２  ヘッドレスト（車両内装部材）
５４  座部
６０  支持板固定手段
【図１】
0006615659.tif 000002
【図２】
0006615659.tif 000003
【図３】
0006615659.tif 000004
【図４】
0006615659.tif 000005
【図５】
0006615659.tif 000006
【図６】
0006615659.tif 000007
【図７】
0006615659.tif 000008
【図８】
0006615659.tif 000009
【図９】
0006615659.tif 000010
【図１０】
0006615659.tif 000011
【図１１】
0006615659.tif 000012
【図１２】
0006615659.tif 000013
【図１３】
0006615659.tif 000014
【図１４】
0006615659.tif 000015
【図１５】
0006615659.tif 000016
【図１６】
0006615659.tif 000017
【図１７】
0006615659.tif 000018
【図１８】
0006615659.tif 000019
【図１９】
0006615659.tif 000020